(57)【特許請求の範囲】
【請求項１】
天板を、水平な使用位置と、略垂直な折り畳み位置との間で回動するように支持してなる折り畳みテーブルにおいて、
前後方向を向く左右一対のブラケットの側壁の対向し合う内面に各々穿設した内向き窪み部を、左右の脚杆の上端部同士を連結する連結杆の左右側端部に、その軸心周りに回転可能に嵌合した状態で、前記天板の左右位置に前記ブラケットの水平な上板をそれぞれ固着し、前記天板の使用位置において、前記上板下面が、前記連結杆の左右側端部よりも内方で前面から突設した水平板の上面に当接するようにしたことを特徴とする折り畳みテーブル。
【請求項２】
前記連結杆の左右側端部が、前記内向き窪み部の最奥部に形成した内壁に当接するようにした請求項１に記載の折り畳みテーブル。
【請求項３】
前記ブラケットの側壁の内面は、前記水平板の外側面と当接するとともに、前記水平板を前方から遮蔽する円弧形部が水平板の左右方向に延在している請求項１または２に記載の折り畳みテーブル。
【請求項４】
前記内向き窪み部の前記連結杆と摺接する部分に緩衝材を嵌合した請求項１乃至３のいずれかに記載の折り畳みテーブル。
【発明の詳細な説明】
【技術分野】
【０００１】
本発明は、天板を、水平な使用位置と、略垂直な折り畳み位置との間で回動するように支持してなる折り畳みテーブルに関する。
【背景技術】
【０００２】
従来、この種の折り畳みテーブルにおいて、天板を脚部に対して回動させるための手段として、例えば、脚部を上端で連結した鋼管から成る枠体（連結杆）の左右端部に、天板受け体と枠体把持部材を上下方向から嵌め込むと共に、枠体把持部材を天板受け体内に嵌挿し、天板受け体と枠体把持部材を一体化した上で天板に両者をビス等で止着したものがある（例えば、特許文献１参照）。
【０００３】
【特許文献１】特開平２００３−２３０４３０号公報（段落００１０，００１１、図５）
【発明の開示】
【発明が解決しようとする課題】
【０００４】
しかしながら、特許文献１に記載の天板を脚部に対して回動させるための手段は、天板受け体と枠体把持部材の２部材を枠体に嵌め込む作業と、枠体把持部材を天板受け体内に嵌挿する作業と、これら２部材を天板に止着する作業があり、組み付け作業が面倒で煩雑であるばかりでなく、天板受け体と枠体把持部材の２部材の部品形状が複雑でコスト的にも難があった。
【０００５】
本発明は、このような問題点に着目してなされたもので、天板を脚部に対して回動させるための手段に、複雑な支持要素を設けずに済み、部品点数を減らせると共に、脚杆と天板の取付作業が簡素化できる折り畳みテーブルを提供することを目的とする。
【課題を解決するための手段】
【０００６】
上記課題を解決するために、本発明の請求項１に記載の折り畳みテーブルは、天板を、水平な使用位置と、略垂直な折り畳み位置との間で回動するように支持してなる折り畳みテーブルにおいて、前後方向を向く左右一対のブラケットの側壁の対向し合う内面に各々穿設した内向き窪み部を、左右の脚杆の上端部同士を連結する連結杆の左右側端部に、その軸心周りに回転可能に嵌合した状態で、前記天板の左右位置に前記ブラケットの水平な上板をそれぞれ固着し、前記天板の使用位置において、前記上板下面が、前記連結杆の左右側端部よりも内方で前面から突設した水平板の上面に当接するようにしたことを特徴としている。
この特徴によれば、連結杆の左右側端部にブラケットに嵌合した状態で、ブラケットを天板に固着したので、ブラケットと連結杆とを固着するために複雑な支持要素を設けずに済み、部品点数を減らせると共に、脚杆と天板の取付作業が簡素化できる。またブラケットの上板を水平板の上面に当接し得るようにしたので、天板の使用位置において天板の水平が確実に保たれる。
【０００７】
本発明の請求項２に記載の折り畳みテーブルは、請求項１に記載の折り畳みテーブルであって、前記連結杆の左右側端部が、前記内向き窪み部の最奥部に形成した内壁に当接するようにしたことを特徴としている。
この特徴によれば、連結杆の左右方向への移動が規制され、ブラケットを介して天板と脚杆との堅固な一体化が図れる。
【０００９】
本発明の請求項３に記載の折り畳みテーブルは、請求項１または２に記載の折り畳みテーブルであって、前記ブラケットの側壁の内面は、前記水平板の外側面と当接するとともに、前記水平板を前方から遮蔽する円弧形部が水平板の左右方向に延在していることを特徴としている。
この特徴によれば、ブラケットの側壁の内面が水平板の外側面と当接することで、連結杆に対してブラケットの取付位置が決めやすく、脚杆と天板との組立が簡易に行える。また、水平板がブラケットの円弧形部により遮蔽されるので外観が好い。
【００１１】
本発明の請求項４に記載の折り畳みテーブルは、請求項１乃至３のいずれかに記載の折り畳みテーブルであって、前記内向き窪み部の前記連結杆と摺接する部分に緩衝材を嵌合したことを特徴としている。
この特徴によれば、連結杆とブラケットを、ともにアルミのような剛性の強い素材で成型した場合でも、緩衝材を介することで、ブラケットの回動を円滑に行うことができる。
【発明を実施するための最良の形態】
【００１２】
本発明の実施例を以下に説明する。
【実施例】
【００１３】
図１（ａ）は、本発明の実施例における折り畳みテーブルの全体像を示す天板使用位置の斜視図であり、図１（ｂ）は、折り畳みテーブルの天板の折り畳み位置を示す斜視図であり、図２は、脚杆、連結杆、支持部材および幕板を示す分解組立斜視図および、支持部材と脚杆の連結を示す要部拡大斜視図であり、図３（ａ）は、ブラケットの単体を示す斜視図であり、（ｂ）は、ブラケットと連結杆との取り付け前の状態を示す斜視図であり、図４（ａ）は、ブラケットと連結杆との取付後の状態を示す斜視図であり、図４（ｂ）は、天板取り付け後のブラケットと支持部材の支持関係を示す斜視図であり、図５（ａ）は、折り畳みテーブルの水平な天板の使用位置からの切換えレバーの操作を示す一部省略要部拡大斜視図であり、図５（ｂ）は、折り畳みテーブルの略垂直な天板の折り畳み位置を示す一部省略要部拡大斜視図であり、図６は、天板の使用可能な水平位置から略垂直な折り畳み位置へと回動されるテーブルを示す側面図であり、図７は、折り畳みテーブルを前後方向に重ねて収納する過程を示す概略側面図である。
【００１４】
この折り畳みテーブル（以下、テーブル）は、学校の教室や会社等で使用される天板２の折り畳み可能なテーブル１であり、未使用時には後述する複数のテーブル１，・・・を前後方向に重ねて収納可能となっており、室内のスペースを有効に活用可能となっている（図７参照）。以下、本実施例の説明において、図１に図示されたテーブル１を対面した状態で見て、テーブル１の手前側を前方とし、奥行き側を後方とし、左手側を左方、右手側を右方として説明する。
【００１５】
図１（ａ）および図１（ｂ）に示されるように、左右方向に長い上面視矩形の天板２からの荷重を支持する左右一対の脚杆３は、アルミやスチール等の２本の金属パイプの上端部３ａを溶接等で連結して、下端部３ｂを互いに前後方向に離間するように成型され、それぞれの下端部３ｂには、床面３０に対して前後左右方向に自由回動可能かつ移動ロック付きのキャスタ５を備えている。左右の上端部３ａ，３ａにはそれぞれ支持部材７，７が熱溶着され、この支持部材７，７に両者を連結する左右の長さ方向に延びる横杆状のアルミやスチール等の金属パイプからなる連結杆６が熱溶着されている。
【００１６】
連結杆６の左右側端部６ａ，６ａの前面には、詳しくは後述において説明するが、それぞれ前方に向けてスチール等の金属板で折り曲げ形成された支持部材７，７が突設されている。アルミ等の金属で成型されたブラケット１０，１０が、連結杆６の左右側端部６ａ，６ａに対して、その軸心回りに回動可能に嵌合され、これらブラケット１０，１０は天板２の下面２ａに取り付けられている。左右の脚杆３，３の上端部３ａ，３ａには、互いの対面する内方に向けて幕板取付片３ｃ，３ｃが延設されており、スチール金属板やプラスチック板等からなる矩形の幕板４が取り付けられている。また、ブラケット１０の側壁１１には、荷物掛け部２３が外方に向けて突設されており、鞄や傘等を吊持可能なテーブル１となっている。
【００１７】
そして、後述において詳述する左方のブラケット１０に設けられた切換えレバー２５の操作によって、このブラケット１０の支持部材７との係合が解除され、天板２の前端側が上方且つ後方に向けて押し上げられることで、天板２の使用可能な水平位置から［図１（ａ）参照］、略垂直な折り畳み位置へと回動され［図１（ｂ）参照］、テーブル１を前後方向に複数重ねて収納可能な状態となる。
【００１８】
尚、テーブル１の構造は、左方に設けられた切換えレバー２５および、その付帯する天板２のロック構造を除き左右対称構造のため、以下の実施例においては、主にテーブル１の左方側を中心に説明し、右方側を割愛して説明する。
【００１９】
図２に示される支持部材７および脚杆３との連結について具体的に説明する。連結杆６の左右側端部６ａ，６ａの近傍の前面に設けられた支持部材７は、上部に水平面を有する水平板７ｂおよび、この水平板７ｂの左右に立設した側面視扇状の外側板７ａ，７ａとで構成されている。左方の外側板７ａの略中央位置には、左右方向に貫通するレバー係合孔７ｃが形成され、左方の外側板７ａの上方後端部にはレバー係止溝７ｄが形成されている。
【００２０】
脚杆３の上端部３ａには、上下所定間隔離間されてネジ孔３ｄ，３ｄが穿設されるとともに、支持部材７の両外側板７ａ，７ａ間の前面を覆うように、ナイロン等の弱剛性の軟質材によりなる円弧形カバー部８がカバー取付ボルト９，９により、円弧形カバー部８のボルト貫通孔８ｂ、８ｂを介してネジ孔３ｄ，３ｄと螺合して脚杆３の上端部３ａに固着されている。
【００２１】
尚、脚杆３は支持部材７の内面と熱溶着等で連結固着され、支持部材７は連結杆６と同様に熱溶着等で連結固着されている。また、左右脚杆３，３の前後の各下端部３ｂには、前述のキャスタ５を取り付けるためのキャスタ取付キャップ５ａが取り付けられ、幕板４は、ボルト等で幕板取付片３ｃ，３ｃに取り付けられる。
【００２２】
次に、図３（ａ）および図３（ｂ）に示される天板２を支持するブラケット１０について説明する。ブラケット１０は前後方向に延在される側壁１１と、この側壁１１の上辺部から水平に折り曲げ成形された上板１４とで構成され、上板１４の後方側は左右に幅広な水平部１７となっている。これら上板１４には上下に貫通する天板取付貫通孔１４ｄ，１４ｄが複数形成されているとともに、前後方向に向けてレバー収納凹溝１４ｃが凹設され、切換えレバー２５が収納可能になっている。
【００２３】
水平部１７の下部の側壁１１には外方に向けて突出した円形の内向き窪み部１２が形設され、この内向き窪み部１２の最奥部は内壁１２ａによって塞がれている。また、窪み部１２の内周面１２ｂが一部支持部材７側に延出して円弧状のフランジ部１３を構成している。この内向き窪み部１２の内面には合成樹脂等の緩衝材１８が嵌合している。
【００２４】
側壁１１の内面の略中間位置には、円弧形部１６が内方に向けて延設され、この上部が水平部１７と連接して略Ｊ字状部１５が形成されている。このブラケット１０の円弧形部１６の形状は、前述した支持部材７の円弧形部である円弧形カバー部材８の前面８ａと摺接もしくは近接可能な形状となっている。
【００２５】
ブラケット１０と連結杆６との結合は、ブラケット１０の内向き窪み部１２と連結杆６の側端部６ａに挿嵌されて行う。このときフランジ部１３が連結杆６の側端部６ａの挿入ガイドとなり嵌合が楽に行える。嵌合後はブラケット１０の水平位置で、支持部材７の水平板７ｂおよび円弧形カバー部材８が、ブラケット１０の略Ｊ字上部１５の水平部１７および円弧形部１６により覆われる。
【００２６】
そして、内向き窪み部１２の最奥部に形成された内壁１２ａに側端面が当接する位置まで嵌合するとともに、側壁１１を左側の外側板７ａの外側面に当接させることでブラケット１０の位置決めが行われるとともに、ブラケット１０の連結杆６軸周りに回動ガイド面となる。
【００２７】
このように、連結杆６に対してブラケット１０の取付位置が決めやすく、脚杆３と天板２との組立が簡易に行え、またブラケット１０の略Ｊ字状部１５によって、支持部材７の水平板７ｂおよび円弧形カバー部材８が遮蔽されるので外観が好い。そして、連結杆６の側端面が内壁１２ａに当接されることで、連結杆６の左右方向への移動が規制され、ブラケット１０を介して天板２と脚杆３との堅固な一体化が図られている。
【００２８】
尚、内向き窪み部１２の内周面１２ｂには、緩衝材１８が設けられていることから、例えば、本実施例のように連結杆６およびブラケット１０が共にアルミ金属のような剛性の強い素材で成型された場合であっても、緩衝材１８を介することで、側端部６ａに対してブラケット１０を回動し易い構成になっている。
【００２９】
そして、図３（ｂ）に示されるように、天板２の水平な使用位置［図１（ａ）参照］において、支持部材７の水平板７ｂの上面に略Ｊ字状部１５の一部である水平部１７の下面が当接されることで、天板２の水平状態が確実に保たれている。尚、上板１４の上面も水平部１７も含めて水平面となっているので、天板２の下面２ａを全面で支持できる。
【００３０】
さらに、図４（ａ）に示されるように、ブラケット１０の上板１４によって、天板２の水平状態を維持することができるので、ブラケット１０を天板２の下面２ａに固着する際に、天板取付ネジ１９が天板取付貫通孔１４ｄを介して天板２に螺合し易い。
【００３１】
上板１４のレバー収納凹溝１４ｃ内に収納される切換えレバー２５について、図４（ａ）および図５（ａ）に基づいて説明する。切換えレバー２５は、前後方向に延設された金属棒状の軸部２５ｂと、その中間位置に設けられたバネ材２５ｄと、軸部２５ｂの前端に設けられた操作部２５ａと、軸部２５ｂの後端から下方に延設され先端が外側板７ａのレバー係合孔７ｃに脱着可能に係合される係止突部２５ｃと、から構成されており、この係止突部２５ｃは、天板２の水平な使用位置において、レバー係合孔７ｃに係合し、天板２の不用意な回動を阻止している。
【００３２】
レバー収納凹溝１４ｃには、軸部２５ｂおよびバネ材２５ｄのみ収納され、軸部２５ｂの上方よりレバー収納凹溝１４ｃに向けて、レバー保持片２６が前後２箇所に嵌入され、軸部２５ｂの長さ軸周りの回動を保持されるとともに、レバー収納凹溝１４ｃからの取り外れを阻止している。レバー収納凹溝１４ｃ内のバネ材２５ｄは、係止突部２５ｃをレバー係合孔７ｃ内に係合する方向に向けて、軸部２５ｂに対して回転付勢している。
【００３３】
そこで、切換えレバー２５の操作部２５ａがバネ材２５の付勢力に抗して、外方に向けて引き上げ操作すれば、図５（ｂ）に示されるように、レバー係合孔７ｃ内から係止突部２５ｃの係合が解除され、天板２は連結杆６を軸心として上方に向けて回動でき、係止突部２５ｃの先端は支持部材７の外側板７ａの外側面に沿って上方に斜め後方に向けて摺接し、天板の折り畳み位置では２点鎖線で示すように、バネ材２５の付勢力を得て外側板７ａの上方後端部のレバー係止溝７ｄに係合することで、ブラケット１０の傾斜位置が固定され、天板２の略垂直な折り畳み位置が確実に固定される。尚、天板２を略垂直な折り畳み位置から水平位置に戻すには、逆の作業工程により行えるため説明を省略する。
【００３４】
そして、図６に示されるように、天板回動時においては、支持部材７に設けられた円弧形カバー部材８に沿って、ブラケット１０の円弧形部１６が摺接もしくは近接状態で回動し、円弧形カバー部材８が露出される。またこのテーブル１の折り畳み位置では、        ブラケット１０のフランジ部１３先端が、連結杆６の端部６ａと脚杆３との間に形成される空間Ｓの間に入り込み、天板２の更なる回動が規制される。
【００３５】
図７に示されるように、折り畳まれたテーブル１はキャスタ５の回動により床面３０に沿って、テーブル１を前後方向に重ねて収納（ネスティング）可能になっており、複数のテーブル１，１が重ねられると、前後に隣接する後方テーブル１の支持部材７の円弧形カバー部材８が隣接するテーブル１の天板２と当接することで移動が規制される。天板２が当接される円弧形カバー部材８が弱剛性の軟質材で構成されているので、天板２の当接面を傷めることがない。
【００３６】
本実施例では、連結杆６の左右側端部６ａにブラケット１０を直に嵌合した状態で、ブラケット１０を天板２に固着したので、ブラケット１０と連結杆６とを固着するために、複雑な支持要素を設けずに済み、部品点数を減らせると共に、脚杆３と天板２の取付作業が簡素化できる。
【００３７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、支持部材７を水平板７ｂと外側板７ａ，７ａで構成し、ブラケット１０の側壁１１を外側板７ａ、７ａに当接させてブラケット１０の位置決めを行っていたが、本発明はこれに限定されるものではなく、支持部材７の左右の外側板７ａ，７ａを設けることなく、水平板７ｂの外側面に当接させて位置決めを行っても良い。
【００３８】
また、上記実施例では、ブラケット１０の内向き窪み部１２の内壁１２ａを連結杆６の側端面に当接することで、連結杆６の左右方向の移動を規制できることから好ましいが、本発明はこれに限定されるものではなく、内向き窪み部１２が側端部６ａの軸周りに回転可能に嵌合させるだけで、内壁１２ａを連結杆６の側端面に当接させなくても良い。
【００３９】
また、上記実施例では、ブラケット１０の内向き窪み部１２の内壁１２ａを連結杆６の側端面に当接することで、連結杆６の左右方向の移動を規制できることから好ましいが、本発明はこれに限定されるものではなく、内向き窪み部１２が側端部６ａの軸周りに回転可能に嵌合させるだけで、内壁１２ａを連結杆６の側端面に当接させなくても良い。
【００４０】
また、上記実施例では、内向き窪み部１２の内周面１２ｂに緩衝材１８を嵌合することで、連結杆６を軸心としてブラケット１０の回動を円滑に行えることから好ましいが、本発明はこれに限定されるものではなく、緩衝材１８に替えて従来公知の潤滑性のある被膜を内周面１２ｂに塗付しても良い。また緩衝材１８を内壁１２ａにも設けて連結杆６とブラケットとの緩衝効果を向上させることも可能である。
【図面の簡単な説明】
【００４１】
【図１】（ａ）は、本発明の実施例における折り畳みテーブルの全体像を示す天板使用位置の斜視図であり、（ｂ）は、折り畳みテーブルの天板の折り畳み位置を示す斜視図である。
【図２】脚杆、連結杆、支持部材および幕板を示す分解組立斜視図および、支持部材と脚杆の連結を示す要部拡大斜視図である。
【図３】（ａ）は、ブラケットの斜視図であり、（ｂ）は、ブラケットと連結杆との取り付け前の状態を示す斜視図である。
【図４】（ａ）は、ブラケットと連結杆との取付後の状態を示す斜視図であり、（ｂ）は、天板取り付け後のブラケットと支持部材の支持関係を示す斜視図である。
【図５】（ａ）は、折り畳みテーブルの水平な天板の使用位置からの切換えレバーの操作を示す一部省略要部拡大斜視図であり、（ｂ）は、折り畳みテーブルの略垂直な天板の折り畳み位置を示す一部省略要部拡大斜視図である。
【図６】天板の使用可能な水平位置から略垂直な折り畳み位置へと回動されるテーブルを示す側面図である。
【図７】折り畳みテーブルを前後方向に重ねて収納する過程を示す概略側面図である。
【符号の説明】
【００４２】
１                テーブル（折り畳みテーブル）
２                天板
２ａ              下面
３                脚杆
３ａ              上端部
３ｂ              下端部
３ｃ              幕板取付片
３ｄ              ネジ孔
４                幕板
５                キャスタ
５ａ              キャスタ取付キャップ
６                連結杆
６ａ              側端部
７                支持部材
７ａ              外側板
７ｂ              水平板
７ｃ              レバー係合孔（天板の水平な使用位置）
７ｄ              レバー係止溝（略垂直な折り畳み位置）
８                円弧形カバー部材
８ａ              前面
８ｂ              ボルト貫通孔
９                カバー取付ボルト
１０              ブラケット
１１              側壁
１１ａ            内面
１２              内向き窪み部
１２ａ            内壁（最奥部に形成した）
１２ｂ            内周面
１３              フランジ部
１４              上板
１４ｃ            レバー収納凹溝
１４ｄ            天板取付貫通孔
１５              側面視略Ｊ字状部
１６              ブラケットの円弧形部
１７              水平部
１８              緩衝材
１９              天板取付ネジ
２３              荷物掛け部
２５              切換えレバー
２５ａ            操作部
２５ｂ            軸部
２５ｃ            係止突部
２５ｄ            バネ材
２６              レバー保持片
３０              床面
Ｓ                空間（連結杆の端部と脚杆との空間）
【図１】
0004757626.tif 000002
【図２】
0004757626.tif 000003
【図３】
0004757626.tif 000004
【図４】
0004757626.tif 000005
【図５】
0004757626.tif 000006
【図６】
0004757626.tif 000007
【図７】
0004757626.tif 000008